(57)【要約】【課題】  機器に設けられた複数の入力端子２４への接続が容易で、ユーザにとって使い勝手のよいＡＶ機器及びその端子部材４０を提供する【解決手段】  アンプ１０は、複数の周辺機器（ソース機器）に接続される複数の入力端子２４を備える。ＣＰＵ１２は、指示入力部２２を介したユーザのファンクション選択入力に応じて、セレクタ２６にファンクション（ソース機器）を選択するコントロール信号を送る。同時に、ＣＰＵ１２は、選択された機器に接続されるべき入力端子２４の近傍に配置されたＬＥＤ３２を発光するコントロール信号を発光部２０に送る。【選択図】  図１
2006092934.tif 000002
【特許請求の範囲】
【請求項１】
複数の入力端子と、
前記入力端子の近傍に設けられたＬＥＤと、
前記複数の入力端子のうち、接続されるべきものの近傍に設けられた前記ＬＥＤを発光させる発光制御部と、
を備える、ことを特徴とするＡＶ機器。
【請求項２】
前記入力端子に入力される信号には、その種類毎に特定の色が割り当てられ、
前記発光部は、前記割り当てられた特定の色の光を発光する、ことを特徴とする請求項１に記載のＡＶ機器。
【請求項３】
前記発光制御部は、前記入力端子にプラグが接続されたとき、前記ＬＥＤの発光を停止する、ことを特徴とする請求項１又は２に記載のＡＶ機器。
【請求項４】
ユーザから接続されるべき入力端子の選択入力を受け付ける指示入力部を備え、
前記指示入力部が前記入力端子の選択入力を受け付けたとき、前記発光制御部は、選択された前記入力端子の近傍に配置されたＬＥＤを発光させる、ことを特徴とする請求項１乃至３に記載のＡＶ機器。
【請求項５】
ユーザから前記ＬＥＤの発光の指示入力を受け付ける発光指示入力部を備え、
前記発光指示入力部が発光の指示入力を受け付けたとき、前記発光制御部は、前記ＬＥＤを発光可能とする、ことを特徴とする請求項１乃至４に記載のＡＶ機器。
【請求項６】
端子と、
前記端子の近傍に設けられ、前記端子が接続されるべき場合に発光される発光部と、
を備える、ことを特徴とする端子部材。
【請求項７】
前記端子は割り当てられた特定の色に着色され、
前記発光部は、前記割り当てられた特定の色の光を発光する、ことを特徴とする請求項５に記載の端子部材。
【発明の詳細な説明】
【技術分野】
【０００１】
本発明は、ＡＶ（Audio Visual）機器及びこれに用いる端子部材に関する。
【背景技術】
【０００２】
近年、信号処理技術の進展とともに、ＡＶ機器には複数の機器が接続可能に構成されることが要求されるようになっている。例えば、ＡＶアンプには、アナログ及びデジタルの、ＴＶ(Television)等の表示装置、ＶＴＲ(Video Tape Recorder)等の記録再生装置、ＤＶＤ(Digital Versatile Disc)プレーヤ等の再生装置等に接続可能であることが当然に求められるようになっている。
【０００３】
また、ＡＶ機器を他の機器と接続する場合、転送される信号の種類は複数あることが多い。例えば、ＤＶＤプレーヤからは、映像信号（ＶＩＤＥＯ信号、Ｓ−ＶＩＤＥＯ、ＣＯＭＰＯＮＥＮＴ信号等）に加え、デジタル音声信号及び／または最大５．１チャンネルのアナログ音声信号といった多数の信号が出力され、ＡＶ機器はそれぞれを入力可能な多数の入力端子を備える。このように、ＴＶ、ＶＴＲ及びＤＶＤプレーヤのすべてに接続可能なＡＶ機器は、少なくともＶＩＤＥＯ信号とアナログ音声信号（Ｌ，Ｒ）用の計９個の入力端子を備える。このように、１台のＡＶ機器には、多数の端子が設けられる。
【０００４】
通常、入力端子は機器の背面に設けられている。また、各入力端子の近傍には、シルクスクリーン印刷等により「ＤＶＤ  ＶＩＤＥＯ」、「ＤＶＤ  Ｌ」「ＤＶＤ  Ｒ」等の表記がある。ユーザはこの表記と取扱説明書を見て、ＡＶ機器を他の機器と接続する。
【０００５】
しかしながら、最近では、接続される機器の種類も増加し、すべての種類の機器について専用の端子又は端子群を設けておくことはコスト上も、設計上も問題がある。また、同種の機器を複数接続する場合も少なくない。このような機器では、同種の端子群が特別な表記なしで配置される。この場合、各端子の接続状態は、ユーザが、自分自身で記憶しておくか、紙等にメモしておくか、端子の近傍に自分で表記等を記しておくしかない。しかし、これらはいずれもユーザにとっては煩瑣な作業であり、機器の製造者にとっては製造した機器の顧客満足度を低下させる原因ともなりうる。
【０００６】
このような事態を改善するため、端子に割り当てるファンクション名（例えば、ソース機器）を自分で入力可能な、あるいは、変更可能なＡＶ機器が開発されている（例えば、下記非特許文献１参照）。このような機器では、他の機器を一旦接続した後で、ユーザは、機器に別途接続した表示機器の画面上でその割り当ての名称を自分で入力（リネーム）し、あるいは、割り当てることができる。
【０００７】
【非特許文献１】製品カタログ、第６７頁［平成１６年７月１日検索］、インターネット<URL:http://www2.yamaha.co.jp/manual/pdf/av/japan/dsp/DSP-AX2300_j_kai1.pdf>
【発明の開示】
【発明が解決しようとする課題】
【０００８】
しかし、このようなＡＶ機器の場合、ファンクション名を変更してしまうと機器の表示機器に画面表示される名称と背面の端子近傍に印刷された名称とが不一致になってしまう。このため、ユーザは、変更したファンクション名と背面に印刷された入力機器名の関係を覚えるか、あるいは、メモしておかないと、端子の接続を実施したり変更するときにどこに接続してよいのかわからなくなってしまう。このような作業を機器背面と、表示機器の画面とを見比べながら行うのは、ユーザには非常に面倒なことである。
【０００９】
さらに、ＡＶ機器をオーディオラック内等に設置した状態で行う場合には、このような作業はより煩瑣となる上、暗い状況で作業を行うこととなるため、一層面倒なものとなる。例えば、映像信号と２チャンネルの音声信号（Ｒ、Ｌ）用の端子は、通常、黄、赤、白で着色されているものの、機器背面の暗い場所での作業においては視認しづらい場合がある。端子群が多数設けられている場合には、ケーブルの陰になることもあり、なおさら確認しづらいものとなる。
【００１０】
このような機器背面の端子部の見にくさは、上述した端子部近傍に接続用の表記がある機器においても同様である。すなわち、通常、ケーブル接続の際、複数の機器と既に配線で接続されている機器を１８０度回転させて機器背面を正面から見て作業しない。配線状態を保つため、通常のケーブル接続作業は、２０度〜３０度程度回転させた状態で行われる。しかし、この場合、たとえ端子部に文字表記があったとしても、機器背面に対して小さい角度から見るため、見づらいことが多い。
【００１１】
このように従来のＡＶ機器には、機器背面の端子部における接続状態がわかりにくく、また、端子部は光が当たりにくく、さらに接続状態がわかりにくいため、ユーザにとって使い勝手が悪くなるおそれがあった。
【００１２】
上記事情を鑑みて、本発明は、機器に設けられた複数の入力端子への接続が容易で、ユーザにとって使い勝手のよいＡＶ機器及びこれに用いる端子部材を提供することを目的とする。
【課題を解決するための手段】
【００１３】
上記目的を達成するため、本発明の第１の観点に係るＡＶ機器は、複数の入力端子と、
前記入力端子の近傍に設けられたＬＥＤと、前記複数の入力端子のうち、接続されるべきものの近傍に設けられた前記ＬＥＤを発光させる発光制御部と、を備える。
上記構成のＡＶ機器によれば、当該ＡＶ機器への周辺機器との接続の際、ＬＥＤの発光により、ユーザは、接続すべき入力端子が容易に判断できる。例えば、本体の前面に設けられた接続状態表示画面を見ながら、本体背面に配置された入力端子に接続する場合であっても、ＬＥＤの発光により、本体背面を浅い角度から見ながら容易にかつ正しく入力端子にプラグを接続することができる。さらに、ＡＶ機器が例えばオーディオラック内に設置され、背面が暗い場合であっても、ＬＥＤの発光光により、手元が明るくなり、より正しい接続が容易となる。このように、本発明によれば、ユーザにとって使い勝手のよいＡＶ機器が提供される。
【００１４】
上記構成のＡＶ機器において、前記入力端子に入力される信号には、その種類毎に特定の色が割り当てられてもよく、前記発光部は、前記割り当てられた特定の色の光を発光するようにしてもよい。例えば、映像信号用、２チャンネルの音声信号（Ｒ、Ｌ）用の入力端子の近傍のＬＥＤには、それぞれ、黄色ＬＥＤ、赤色ＬＥＤ、白色の発光ＬＥＤを用いることができる。これにより、さらに容易かつ正確な端子接続が可能となる。
【００１５】
上記構成のＡＶ機器において、前記発光制御部は、前記入力端子にプラグが接続されたとき、前記ＬＥＤの発光を停止するようにしてもよい。例えば、発光制御部は、入力端子にプラグが接続されたことを検出した直後、あるいは、それから所定時間後にＬＥＤの発光を停止させる。これにより、不要な電力消費を避けることができる。
【００１６】
上記構成のＡＶ機器は、ユーザから接続されるべき入力端子の選択入力を受け付ける指示入力部を備えてもよく、前記指示入力部が前記入力端子の選択入力を受け付けたとき、前記発光制御部は、選択された前記入力端子の近傍に配置されたＬＥＤを発光させてもよい。例えば、ユーザが所望のファンクションに対応する機器を接続する場合、例えば、入力画面上で、所望のファンクションを選択することにより、ファンクションに対応する入力端子が選択され、その近傍のＬＥＤが発光する。従って、ユーザが、ファンクションの選択をすることにより、自動的に接続されるべき入力端子が選択されることとなる。
【００１７】
上記構成のＡＶ機器は、ユーザから前記ＬＥＤの発光の指示入力を受け付ける発光指示入力部を備えてもよく、前記発光指示入力部が発光の指示入力を受け付けたとき、前記発光制御部は、前記ＬＥＤを発光可能としてもよい。例えば、ユーザがＬＥＤの発光を希望しない場合には、ＬＥＤが発光しないように設定することができる。これにより、不要な電力消費を避けることができる。
【００１８】
上記目的を達成するため、本発明の第２の観点に係る端子部材は、端子と、前記端子の近傍に設けられ、前記端子が接続されるべき場合に発光される発光部と、を備える。
上記構成の端子部材によれば、当該端子部材を備えたＡＶ機器への周辺機器との接続の際、ＬＥＤの発光により、ユーザは、接続すべき入力端子が容易に判断できる。例えば、本体の前面に設けられた接続状態表示画面を見ながら、本体背面に配置された入力端子に接続する場合であっても、ＬＥＤの発光により、本体背面を浅い角度から見ながら容易にかつ正しく入力端子にプラグを接続することができる。さらに、ＡＶ機器が例えばオーディオラック内に設置され、背面が暗い場合であっても、ＬＥＤの発光光により、手元が明るくなり、より正しい接続が容易となる。このように、本発明によれば、ユーザにとって使い勝手のよいＡＶ機器が提供される。
【００１９】
上記構成の端子部材において、前記端子は割り当てられた特定の色に着色されてもよく、前記発光部は、前記割り当てられた特定の色の光を発光してもよい。例えば、映像信号用、２チャンネルの音声信号（Ｒ、Ｌ）用の入力端子の近傍のＬＥＤには、それぞれ、黄色ＬＥＤ、赤色ＬＥＤ、白色の発光ＬＥＤを用いることができる。これにより、さらに容易かつ正確な端子接続が可能となる。
【発明の効果】
【００２０】
本発明によれば、機器に設けられた複数の入力端子への接続が容易で、ユーザにとって使い勝手のよいＡＶ機器及びその端子部材が提供される。
【発明を実施するための最良の形態】
【００２１】
本発明に係る実施の形態について、以下、図面を参照して詳細に説明する。
以下に示す実施の形態では、ＤＶＤプレーヤ、ＴＶ及びＶＴＲに接続可能なアンプ及びその端子部材に本発明を適用した例について説明する。すなわち、本実施の形態のアンプは、少なくとも３種（ＤＶＤ、ＴＶ及びＶＴＲ）のビデオ信号入力及び音声信号入力を受け付け可能である。しかし、以下に示す実施の形態は一例であり、これに限定されず、例えば、本実施の形態のアンプは、上記ビデオ信号の他に、Ｓ−ＶＩＤＥＯ信号、ＣＯＭＰＯＮＥＮＴ−ＶＩＤＥＯ信号、デジタルＡｕｄｉｏ信号などの信号入力を受け付け可能とすることができる。
【００２２】
図１に、本実施の形態に係るアンプ１０の構成を示す。図１に示すアンプ１０は、ＣＰＵ１２と、信号入力部１４と、増幅部１６と、出力部１８と、発光部２０と、指示入力部２２と、を備える。
【００２３】
ＣＰＵ１２は、ＲＯＭ（Read Only Memory）やＲＡＭ（Random Access Memory）等を備え、後述するアンプ１０の動作を統括的に制御する。
【００２４】
信号入力部１４は入力端子２４を備える。入力端子２４は、外部のＤＶＤプレーヤ、ＴＶ及び／またはＶＴＲにつながれたケーブルのプラグに接続されてビデオ信号及び音声信号の入力を受ける。本実施の形態では、信号入力部１４は、ＤＶＤプレーヤ、ＴＶ及びＶＴＲから、ＶＩＤＥＯ信号及び２チャンネルのアナログ音声信号（Ｌ，Ｒ）をそれぞれ受け付け可能なように、計９個設けられている。なお、理解を容易なものとするため、図１では、３つの入力信号のうち１つの信号のみを処理する構成について示し、従って、図１には、３つの信号入力部１４が記載されている。
信号入力部１４の入力端子２４は、アンプ１０の背面に、例えば、図２に示すように設けられる。図２に示す例では、９個の入力端子２４は、ＶＴＲ、ＴＶ及びＤＶＤについて、ビデオ信号（ＶＩＤＥＯ  ＩＮ）及びアナログ音声信号（Ｌ，Ｒ）（ＲＩＧＨＴ、ＬＥＦＴ）に対応するようにマトリクス状に配置されている。
【００２５】
図１に戻り、ＤＶＤ、ＴＶ及びＶＴＲ用の各信号入力部１４はセレクタ２６に接続されている。セレクタ２６は、ＣＰＵ１２からのコントロール信号を受けて、いずれかの入力を選択し、後述する増幅部１６と接続する。
【００２６】
指示入力部２２は、ユーザが、所望のファンクションの選択、音質、画質、音量等の機器調整の指示などをアンプ１０に入力するために設けられている。本例では、ユーザは、指示入力部２２を介して、所望のファンクション（ソース）として、ＤＶＤ、ＴＶあるいはＶＴＲを選択することができる。
指示入力部２２は、例えば、ロータリエンコーダを用いて構成される。ユーザがファンクションを切り替える指示を入力した場合、指示入力部２２のロータリーエンコーダはユーザの切り換え指示に応じて回転する。ＣＰＵ１２は、ロータリエンコーダが回転に応じて発生するパルスを読み取り、指示された入力を選択するようセレクタ２６にコントロール信号を送る。これにより、ユーザの指示入力に応じて、ファンクションが変更される。
ファンクション名は、蛍光表示装置、液晶表示装置等から構成される表示部２３に、例えば、「ＤＶＤ」→「ＴＶ」→「ＶＴＲ」などのように表示され、ユーザは、表示部２３を見てファンクションを選択する。
勿論、指示入力部２２は、ロータリエンコーダに限らず他のスイッチング装置、例えば、プッシュスイッチ等を用いて構成されていてもよい。
また、図１において、セレクタ２６は１つの信号（ＤＶＤ、ＴＶ及びＶＴＲのいずれかの信号）を選択する構成となっているが、実際には、選択されたソースから入力される３つの信号（ビデオ信号及びアナログ音声信号）が選択される。
【００２７】
増幅部１６は、セレクタ２６が選択した信号入力部１４からの信号を受け取り、増幅して出力する。勿論、増幅に加え、入力信号に他の処理を施すようにしてもよい。
出力部１８は、例えばアンプ１０本体の背面に設けられた図示しない出力端子を備える。出力端子には、例えば、プロジェクタ、スピーカ、ＴＶ、レコーダ等が接続され、増幅部１６が出力した増幅信号はこれらの周辺機器に出力される。
【００２８】
以上の構成により、本実施の形態のアンプ１０は、複数の入力端子２４に接続された複数のソース（ＤＶＤプレーヤ、ＴＶ及びＶＴＲ）からの入力信号のうち、ユーザが選択したソースからの信号（ＶＩＤＥＯ信号及び２チャンネルのアナログ音声信号）の入力を受けて、これを増幅し、出力端子から周辺機器に出力する。
【００２９】
上記機能を有する本実施の形態のアンプ１０は、ユーザによるソース機器に接続された接続部材との接続を容易とするための、さらに以下の構成を備える。
【００３０】
すなわち、信号入力部１４は、入力端子２４へのプラグの接続状態に応じてオンオフするスイッチ２８を備える。スイッチ２８の一端は、プルアップ抵抗器３０を介してＣＰＵ１２に接続されている。入力端子２４にプラグが接続されていない場合には、スイッチ２８はＯＦＦになり、プルアップ抵抗器３０によって供給される所定電圧（例えば、５Ｖ）がＣＰＵ１２の入力ポートに供給される。このとき、ＣＰＵ１２の入力ポートはＨＩＧＨレベルに設定される。この場合、ＣＰＵ１２は信号入力部１４にプラグが接続されていないと判別する。
一方、入力端子２４にプラグが接続された場合には、スイッチ２８はＯＮになり、プルアップ抵抗器３０がグランドに接続される。このとき、ＣＰＵ１２の入力ポートはＬＯＷレベルに設定される。この場合、ＣＰＵ１２は、信号入力部１４にプラグが接続されていると判別する。
ＣＰＵ１２は、上記のようにして入力端子２４へのプラグの接続を検出し、後述する発光部２０による発光を制御する。
【００３１】
発光部２０は、ＬＥＤ（Light Emission Diode）３２、トランジスタ３４等を備え、ＣＰＵ１２の制御の下で発光する。ＬＥＤ３２は、図２に示すように、入力端子２４の近傍、例えば、その上方に配置されている。ＬＥＤ３２を含む発光部２０は、９個の各入力端子２４のそれぞれの近傍に９個設けられている。
図１に戻り、所定のＬＥＤ３２を点灯させるとき、ＣＰＵ１２は、ＬＥＤ３２が接続された出力ポートに制御電圧（例えば、５Ｖ）を出力してＨＩＧＨに設定する。このとき、対応する発光部２０のトランジスタ３４がＯＮとなり、ＬＥＤ３２に電流が流れて発光する。一方、ＣＰＵ１２が出力ポートに０Ｖを出力すると、トランジスタ３４はＯＦＦとなり、ＬＥＤ３２の発光は停止する。
【００３２】
また、ＬＥＤ３２は、入力される信号の種類が異なる入力端子２４毎に異なった色の発光をするよう、異なった種類のＬＥＤから構成されている。例えば、ＶＩＤＥＯ信号用の入力端子２４には黄色のＬＥＤが、２チャンネルの音声信号（Ｒ、Ｌ）用の入力端子２４にはそれぞれ赤色ＬＥＤ及び白色ＬＥＤが用いられる。
【００３３】
ＬＥＤ３２は、例えば、図３に示すように、プリント基板３６に入力端子２４とともに載置され、ディッピング（ＤＩＰ）の後、リアパネル３８へのねじ止めにより装着される。
【００３４】
上記のように入力端子２４の近傍に設けられたＬＥＤ３２は、プラグの接続の際に発光することにより、ユーザにこれを挿入すべき入力端子２４の位置を知らせる。以下、図１を参照して、ユーザが本実施の形態のアンプ１０にＶＴＲ等の周辺機器を接続する際のＣＰＵ１２の動作について説明する。
【００３５】
ユーザは、ＤＶＤプレーヤ等の周辺機器を接続する際、まず、アンプ１０の電源をオンとする。次いで、ユーザは、表示部２３の表示を参照して、これから接続しようとする周辺機器に対応するファンクションを指示入力部２２を介して入力する。ＣＰＵ１２は、指示入力部２２からの入力信号に応じて、セレクタ２６にコントロール信号を送出し、ユーザが選択した入力端子２４をセレクタ２６に選択させる。
【００３６】
次いで、ＣＰＵ１２は、セレクタ２６が現在選択している入力端子２４について、プラグが接続されているか否かを判別する。すなわち、ＣＰＵ１２は、その入力ポートに所定電圧が供給されているか否かを判別する。
【００３７】
ＣＰＵ１２は、選択された入力端子２４にプラグが接続されていないと判別したとき、この入力端子２４の近傍に配置されたＬＥＤ３２を選択的に発光させるよう、発光部２０を制御する。具体的には、ＣＰＵ１２は、該当する発光部２０が接続された出力ポートをＨＩＧＨに設定する。これにより、ユーザが選択したファンクションに対応する入力端子２４の近傍に配置されたＬＥＤ３２が点灯する。ユーザは、ＬＥＤ３２の発光を見て、接続すべき入力端子２４を見分け、これにプラグを接続する。
【００３８】
このように、本実施の形態に係るアンプ１０では、周辺機器（ソース機器）を接続しようとする際、この周辺機器と接続するケーブルのプラグを接続すべき入力端子２４の近傍に設けられたＬＥＤ３２が発光する。このため、ユーザは、例えば、図２に示すような多数設けられた入力端子２４のうちいずれにプラグを接続すべきかを容易に判断し、正しく接続することができる。
すなわち、たとえ、アンプ１０の本体の裏面に「ＤＶＤ」、「ＴＶ」、「ＶＴＲ」等のプリントがなされていても、通常、ユーザが選択されているファンクションを知ることができる表示部２３は前面に設けられている。このため、ユーザが接続作業中に裏面を真後ろの深い角度から見ることはあまりなく、これらのプリント表示が見づらいことが多い。この点、本実施の形態のアンプ１０によれば、たとえ真後ろからでなく、真横に近い側からであっても、ＬＥＤ３２の発光により容易に接続すべき入力端子２４を見分け、誤り無く接続することができる。
【００３９】
また、アンプ１０がオーディオラック内に設置されているなどの場合であって、本体背面が薄暗い場合には、ＬＥＤ３２の発光光により背面は照らされ、手元が明るくなり、接続作業は非常に容易となる。
【００４０】
さらに、本実施の形態では、入力信号の種類に応じて異なる発色のＬＥＤ３２を用いるため、より容易かつ正確なプラグの接続が可能となる。すなわち、１つのソース機器から複数種の信号（ＶＩＤＥＯ信号、２チャンネルのアナログ音声信号等）が入力される場合に、これに応じて複数のＬＥＤ３２が発光するが、本実施の形態では、それぞれの信号種に対して異なった発光を呈するＬＥＤ３２が用いられている。このため、ユーザは、例えば、通常黄色のＶＩＤＥＯ信号用ケーブルを、黄色ＬＥＤ３２近傍の入力端子２４に迷わず接続することができるなど、より容易かつ正確な接続作業が可能となる。
【００４１】
本発明は、上記実施の形態に限られず、本発明の範囲に含まれる限り、いかなる修正、変更、追加等も可能である。
【００４２】
例えば、上記実施の形態では、ＬＥＤ３２は、近傍の入力端子２４が選択されている限り点灯するものとしたが、適宜消灯するものとしてもよい。例えば、ユーザが表示画面を参照して、指示入力部２２からＬＥＤ３２の点灯／消灯を選択可能としてもよい。この場合、例えば、ユーザは、指示入力部２２を用いて、表示部２３の「ＬＥＤ３２  ＯＮ」との表示を「ＬＥＤ３２  ＯＦＦ」に変更入力する。ＣＰＵ１２は、この入力を受けて、表示部２３に、ＬＥＤ３２の発光を停止するようコントロール信号を送り、消灯させる。
【００４３】
また、ユーザの指示によらず、ＬＥＤ３２が自動的に消灯するようにしてもよい。この場合、例えば、ＣＰＵ１２は、ソフトウェアタイマ等のタイマを備え、選択されている入力端子２４にプラグが接続されたと判別した時点からの経過時間を計測し、所定時間後（例えば、１秒後）にＬＥＤ３２の発光を停止するコントロール信号を生成する。以上のような方法により、ＬＥＤ３２の不要な発光を抑えることにより、余分な電力消費を抑えることができる。
また、ＬＥＤ３２は、異なる発色を行うものとしたが、同一の発色であってもよい。
【００４４】
上記実施の形態では、ＬＥＤ３２は、図３に示すように、端子部分に設置されるものとした。しかし、ＬＥＤ３２は、図４に示すように、入力端子２４と一体に成型した端子部材４０として設けてもよい。図４に示す端子部材４０は、例えば、入力端子２４をプリント基板３６に挿入した後ディッピングし、次いで、リアパネル３８に取り付けてねじ止めして形成される。この構成によれば、プリント基板３６への挿入も一点の部品で済み、また、リアパネル３８への取り付け時も入力端子２４とＬＥＤ３２との位置関係が常に一定となり、生産性（歩留まり）の向上が図れる。
【００４５】
上記実施の形態では、ＤＶＤプレーヤ、ＴＶ、ＶＴＲ等の周辺機器に接続されるアンプを例として説明した。しかし、本発明は、上記例に限られず、多数の周辺機器（ソース機器）からの入力を受ける多数の入力端子を備えるいかなるＡＶ機器にも適用可能である。
【図面の簡単な説明】
【００４６】
【図１】本発明の実施の形態に係るアンプの構成を示すブロック図である。
【図２】本発明の実施の形態に係るアンプの入力端子の配置例を示す図である。
【図３】本発明の実施の形態に係るアンプの端子部分の構成を示す図である。
【図４】本発明の実施の形態に係るアンプの端子部分の変形例を示す図である。
【符号の説明】
【００４７】
１０  ：アンプ、１２  ：ＣＰＵ、１４：信号入力部、１６：増幅部、１８：出力部、２０：発光部、２２：信号入力部、２３：表示部、２４：入力端子、２６：セレクタ、２８：スイッチ、３０：プルアップ抵抗器、３２：ＬＥＤ、３４：トランジスタ、３６：プリント基板、３８：リアパネル、４０：端子部材
【図１】
2006092934.tif 000003
【図２】
2006092934.tif 000004
【図３】
2006092934.tif 000005
【図４】
2006092934.tif 000006